(57)【要約】【課題】従来に比べて携帯電話の利便性を向上させることを目的とする。【解決手段】携帯電話本体２０から、操作ボタン群９、第２レシーバ１０及びマイク１１を有する操作部８が着脱可能にされ、前記操作部８を前記携帯電話本体２０から取り外した状態で、前記操作部８から電話をかけたり、あるいは携帯電話本体２０で電話をしながら操作部８で文字や数字等を入力したりすることができ利便性に優れた携帯電話を提供することが可能である。【選択図】    図１
2004343493.tif 000002
【特許請求の範囲】
【請求項１】
画面表示部と、複数の操作ボタンを有してなる操作部と、マイクと、レシーバとを有し、
少なくとも前記操作部は、携帯電話本体から着脱可能にされていることを特徴とする携帯電話。
【請求項２】
前記操作部には、前記操作ボタンの他、前記マイクとレシーバとが設けられる請求項１記載の携帯電話。
【請求項３】
前記操作部と、前記携帯電話本体にはそれぞれ無線ユニットが内蔵され、前記操作部が前記携帯電話本体から取り外されているとき、前記無線ユニットにより前記操作部と前記携帯電話本体とが無線通信される請求項１または２に記載の携帯電話。
【請求項４】
前記操作部が前記携帯電話本体に装着されているとき、前記無線通信が無効とされる請求項３記載の携帯電話。
【請求項５】
前記操作部は前記携帯電話本体にコネクタを介して装着される請求項４記載の携帯電話。
【発明の詳細な説明】
【０００１】
【発明の属する技術分野】
本発明は、特に次世代の携帯電話の構造に関する。
【０００２】
【従来の技術】
携帯電話は年々、進化を遂げ、小型化及び軽量化が促進されている。その一方で前記携帯電話の画面表示部は、従来よりも大きくなっており、それは、携帯電話が単に電話としての機能のみならずメール機能やインターネット機能も有し、携帯電話でインターネットやメール等を行なった際に、インターネット情報やメールの内容をできる限り見やすくするためである。
【０００３】
従って携帯電話の小型化と、画面表示部の大画面化とを同時に満たす構造が必要である。
【０００４】
【発明が解決しようとする課題】
最近の携帯電話は、折り畳み型構造のものが主流になっている。折り畳み型のものは、画面表示部を大画面化しても携帯電話を折り畳んだ状態ではコンパクトなサイズになり、携帯電話を衣服のポケットなどに入れておくことができる。
【０００５】
しかし折り畳み型のものでは電話がかかってきたときに、まず携帯電話を折り畳んだ状態から開いて電話に出なければならず、すぐに電話に出ることができない。
【０００６】
また折り畳み型のものでは、折り畳んだ状態であるとコンパクトなサイズになるがその一方で厚みが増すため、カード程度の厚みのものしか入らないポケットであると、前記ポケット内に携帯電話を入れておくことはできない。
【０００７】
また折り畳み型のものではなく、スティック型の携帯電話では、画面表示部を大画面にすると、携帯電話自体の長さが長くなり、前記携帯電話を衣服のポケット内等に適切に収めておくことができない。
【０００８】
また携帯電話で電話をしている最中に、メモをとらなければいけない場合がある。このとき、近くに筆記用具がないとき困ってしまう。例えば携帯電話のダイヤルキーを押せば、数字や文字を携帯電話の画面表示部に残しておくことができるが、電話している最中に、ダイヤルキーを操作してメモしたい内容を画面表示部に書き込むことは非常に難しい。
【０００９】
そこで本発明は上記従来の課題を解決するためのものであり、特に従来に比べて利便性を向上させることが可能な携帯電話を提供することを目的としている。
【００１０】
【課題を解決するための手段】
本発明の携帯電話は、画面表示部と、複数の操作ボタンを有してなる操作部と、マイクと、レシーバとを有し、
少なくとも前記操作部は、携帯電話本体から着脱可能にされていることを特徴とするものである。
【００１１】
このため、衣服のポケットがカード程度の薄型のものしか入らないような場合でも、前記操作部を携帯電話本体から取り外して、前記操作部のみを衣服のポケット等に入れておくことができ、この操作部から電話をかけて電話したり、相手からかかってきた電話に出たりすることも可能である。
【００１２】
また携帯電話で電話をしている最中に、メモが必要なときに、携帯電話本体から操作部を取り外して、電話をしながら前記操作部にある操作ボタンを押して画面表示部にメモを書き込むことも可能である。
【００１３】
なお前記操作部から電話をかけて電話したり、電話に出るには、前記操作部には、前記操作ボタンの他、前記マイクとレシーバとが設けられることが必要である。
【００１４】
本発明では、前記操作部と、前記携帯電話本体にはそれぞれ無線ユニットが内蔵され、前記操作部が前記携帯電話本体から取り外されているとき、前記無線ユニットにより前記操作部と前記携帯電話本体とが無線通信されることが好ましい。
【００１５】
一方、前記操作部が前記携帯電話本体に装着されているとき、前記無線通信が無効とされることが好ましい。
【００１６】
本発明では上記のように操作部と携帯電話本体とに無線ユニットが内臓され、前記操作部が前記携帯電話本体から取り外されているとき、前記操作部と前記携帯電話本体とが、無線通信されるようになっているため、前記操作部と携帯電話本体間をワイヤレス化でき、また携帯電話ごとにＩＤを記憶しておけば、前記操作部からの入力信号等を自分の携帯電話本体に（あるいは信号を携帯電話本体から操作部に）適切に送ることができ、間違って他人の携帯電話に送ってしまうことを回避できる。
【００１７】
また操作部が携帯電話本体に装着されているときは、前記操作部と携帯電話間が無線により信号のやり取りをする必要はなく、前記無線通信が無効とされるようにしておき、このとき例えば、前記操作部と携帯電話間に設けられたコネクタを介して、前記操作部と携帯電話本体間で信号のやり取りをできるようにしておけばよい。
【００１８】
【発明の実施の形態】
図１は本発明の携帯電話本体から操作部を取り外した状態を示す前記操作部と携帯電話本体の正面図、図２は前記操作部を前記携帯電話本体に装着した状態を示す携帯電話の正面図である。
【００１９】
図１に示すように携帯電話１には、主に画面表示部２が設けられた第１本体部３と、第２本体部５とが設けられ（以下、第１本体部３と第２本体部５を合わせて携帯電話本体２０という）、前記第１本体部３と第２本体部５とが回動部６によって接続されている。前記第１本体部３と第２本体部５とを前記回動部６を介して回動させることができ、図１は、前記第１本体部３と第２本体部５とが最も開いた状態で、この状態から第２本体部５の操作部装着面５ａに操作部８を装着して（装着しなくてもよい）、前記回動部６を介して折り畳むことができる。
【００２０】
図１に示すように前記第１本体部３には画面表示部２の他に第１レシーバ（第１スピーカ）１５が設けられられている。
【００２１】
一方、前記第２本体部５から取り外された操作部８には、複数のダイヤルキー等からなる操作ボタン群９とともに第２レシーバ（第２スピーカ）１０とマイク１１とが設けられている。
【００２２】
図１に示すように前記第２本体部５の操作部装着面５ａにはコネクタ７が設けられている。また前記操作部８の裏面には前記コネクタ７と対向する位置にコネクタ１２が設けられ、前記操作部８を前記操作部装着面５ａ上に装着すると前記操作部８のコネクタ１２と前記第２本体部５のコネクタ７とが接続されるようになっている。
【００２３】
前記操作部８は前記操作部装着面５ａ上にマグネットで装着されたり、あるいは前記操作部８と第２本体部５間にレール部（図示しない）を設け、スライド方式などによって装着されるようにしてもよい。
【００２４】
このように本発明では前記操作部８が携帯電話本体２０から着脱可能にされている。
【００２５】
図１に示すように前記操作部８には、操作ボタン群９の他に、第２レシーバ１０とマイク１１とが設けられ、前記操作部８を前記携帯電話本体２０から取り外した状態で前記操作部８を用いて電話したり、あるいは前記操作部８から電話に出ることができる。
【００２６】
このため例えば衣服のポケットがカード程度の非常に薄いものしか入らないような場合に、前記操作部８を前記携帯電話本体２０から取り外し、前記操作部８をポケットに入れ、前記携帯電話本体２０をかばん等に入れておけば、電話がかかってきたときにすぐにポケットから操作部８を取り出して電話に出たり、あるいはすぐに電話をかけたりすることができ、かばん等に入っている携帯電話本体２０を取り出すことを必要としない。また前記操作部８と携帯電話本体２０間をワイヤレス化できるので、操作部８と携帯電話本体２０とを別々に持っていても、持ち運びに不便となることもない。
【００２７】
また前記操作部８を前記第２本体部５に装着した図２の状態で電話をしているときにメモを取ることが必要になったとき、前記操作部８を携帯電話本体２０から取り外し、電話をしながら前記操作部８にある操作ボタン群９を操作しながらメモを取ることも可能である。
【００２８】
このように前記操作部８を前記携帯電話本体２０から着脱可能にすれば従来に比べて利便性を向上させることが可能になる。
【００２９】
また図１に示す携帯電話１では、携帯電話本体２０に着脱可能な操作部８には操作ボタン群９の他に第２レシーバ１０及びマイク１１が備えられているが、前記第２レシーバ１０及びマイク１１は備え付けられていなくてもよい。ただし前記操作部８単体に電話機能を有するようにするには、当然、前記操作部８に第２レシーバ１０とマイク１１とが備え付けられていなければならない。
【００３０】
また図２のように前記操作部８を携帯電話本体２０に装着した状態では、後述するように前記操作部８に設けられた第２レシーバ１０を無効にし、前記第１レシーバ１５とマイク１１とを使用して電話することを可能にしているが、例えば携帯電話本体２０に前記第１レシーバ１５を設けず、操作部８に設けられた第２レシーバ１０とマイク１１とを使用して電話できるようにしてもよい。
【００３１】
上記のように例えば前記操作部８に第２レシーバ１０とマイク１１とを設けない場合、少なくとも前記マイク１１は図１に示す第２本体部５に設けられていなければならない。これによって操作部８が前記携帯電話本体２０から取り外された状態でも前記携帯電話本体２０に備え付けられた第１レシーバ１５と前記マイク１１とを使用して電話することができる。
【００３２】
上記のように前記操作部８に前記第２レシーバ１０とマイク１１とが備え付けられておらず、前記操作部８が電話機能を有さない場合、例えば前記操作部８は、携帯電話で電話中にメモが必要なとき、前記携帯電話本体２０から操作部８を取り外し、前記操作部８にある操作ボタン群９を操作しながらメモを取るのに利用できる。またかかる場合、操作ボタン群９から文字や数字等を打ち込んだときに、その文字や数字等が携帯電話本体２０にある画面表示部２に表示されるだけでは、電話しながら、文字や数字等を間違いなく打ち込んでいるかを確認することは困難であるので、操作部８にも小さい画面表示部（図示しない）を設け、この画面表示部に文字や数字等が表示されるようにすれば、前記画面表示部を見て確認しながら文字や数字等を打ち込めることができ好ましい。
【００３３】
本発明では、前記操作部８が前記携帯電話本体２０から取り外されており、前記操作部８で電話等をしているとき、前記操作部８と携帯電話本体２０間は無線通信で、信号のやり取りが行われているようにすることが好ましい。
【００３４】
図３は、前記操作部８と携帯電話本体２０の内臓ユニットを説明するためのブロック図である。
【００３５】
以下、操作部８を用いて電話する場合について説明する。
図３に示すように、操作部８には、操作ボタン群９、第２レシーバ１０、マイク１１、コネクタ１２のほかに、ＣＰＵ３０、無線ユニット３１、音声入出力ユニット３２、コネクタ検出ユニット３３、及び電源ユニット３４が内臓されている。
【００３６】
また前記携帯電話本体２０には、第１レシーバ１５、コネクタ７のほかに、無線ユニット４０、ＣＰＵ４１、表示ユニット４２、セルラー方式の送受信ユニット（以下、送受信ユニットと言う）４４、コネクタ検出ユニット４５、及び電源ユニット４６が内臓されている。
【００３７】
まず操作ボタン群９から相手側の電話番号を入力すると、入力信号はＣＰＵ３０に送り込まれ、そこで信号処理がなされ、信号が切替手段３９を介して無線ユニット３１に送りこまれる。前記信号は無線通信で、アンテナ３５，３６間を送信し、携帯電話本体２０にあるアンテナ３６から前記携帯電話本体２０内部にある無線ユニット４０に送られ、前記携帯電話本体２０に内臓された送受信ユニット４４からアンテナ３６を介して外部に信号が送信される。
【００３８】
電話が繋がると、図３に示すように、操作部８にある第２レシーバ１０とマイク１１とが音声入出力ユニット３２に繋がれているから、マイク１１を通して話をすると前記マイク１１からの音声信号が前記音声入出力ユニット３２に送り込まれ、さらに前記音声入出力ユニット３２から無線ユニット３１に送り込まれる。
【００３９】
そして前記音声信号が操作部８にあるアンテナ３５から前記携帯電話本体２０に無線通信され、さらに前記携帯電話本体２０にある送受信ユニット４４に送られてアンテナ３６から外部に信号が送信される。
【００４０】
相手側からの音声信号は、携帯電話本体２０にあるアンテナ３６でキャッチし、送受信ユニット４４に送られた後、無線ユニット４０に送られ、無線通信で操作部８に送られる。
【００４１】
操作部８では、前記音声信号が無線ユニット３１を介して音声入出力ユニット３２に送られた後、第２レシーバ１０に送られ、相手側の話を聞くことができる。
【００４２】
相手側からの音声信号を携帯電話本体２０にあるアンテナ３６がキャッチしても、前記携帯電話本体２０にある第１レシーバ１５と前記送受信ユニット４４とが切替手段４３によって接続されていないから、前記音声信号は前記第１レシーバ１５には送られず、操作部８にある第２レシーバ１０にのみ送られるようになっている。
【００４３】
図３に示すように、操作部８にあるＣＰＵ３０は、コネクタ検出ユニット３３で操作部８にあるコネクタ１２と、携帯電話本体２０にあるコネクタ７とが接続されていないと認識すると、前記ＣＰＵ３０は、無線ユニット３１と音声入出力ユニット３２間、前記音声入出力ユニット３２と第２レシーバ１０間が繋がるように切替手段３７，３８を切り替え、また前記ＣＰＵ３０とコネクタ１２間の接続を断ち切るとともに、前記ＣＰＵ３０と無線ユニット３１間とが繋がるように切替手段３９を切り替える。
【００４４】
また携帯電話本体２０にあるＣＰＵ４１は、コネクタ検出ユニット４５で操作部８にあるコネクタ１２と、携帯電話本体２０にあるコネクタ７とが接続されていないと認識すると、前記ＣＰＵ４１は、無線ユニット４０と送受信ユニット４４間が繋がるように切替手段４７を切り替え、また前記ＣＰＵ４１とコネクタ７間の接続を断ち切るとともに、前記ＣＰＵ４１と無線ユニット４０間とが繋がるように切替手段４８を切り替える。また前記ＣＰＵ４１は、前記送受信ユニット４４と第１レシーバ１５間の接続が切断されるように、前記切替手段４３を切り替える。
【００４５】
図４は、前記操作部８が前記携帯電話本体２０に装着されたときのブロック図であるが、図４に示すように、前記操作部８が前記携帯電話本体２０に装着されて前記操作部８にあるコネクタ１２と前記携帯電話本体２０にあるコネクタ７とが接続されると、操作部８にあるＣＰＵ３０が前記コネクタ検出ユニット３３からの信号を受けて、前記無線ユニット３１と音声入出力ユニット３２間、前記音声入出力ユニット３２と第２レシーバ１０間の接続が切断されるように、切替手段３７，３８を切り替え、また前記ＣＰＵ３０と無線ユニット３１間の接続を断ち切るとともに、前記ＣＰＵ３０とコネクタ１２間とが繋がるように切替手段３９を切り替える。
【００４６】
一方、携帯電話本体２０にあるＣＰＵ４１は、コネクタ検出ユニット４５で操作部８にあるコネクタ１２と、携帯電話本体２０にあるコネクタ７とが接続されていると認識すると、前記ＣＰＵ４１は、無線ユニット４０と送受信ユニット４４間の接続が切断されるように切替手段４７を切り替え、また前記ＣＰＵ４１と前記無線ユニット４０間の接続を断ち切るとともに、前記ＣＰＵ４１とコネクタ７間とが繋がるように切替手段４８を切り替える。また前記ＣＰＵ４１は、前記送受信ユニット４４と第１レシーバ１５間が繋がるように、前記切替手段４３を切り替える。
【００４７】
図４のように、操作部８が携帯電話本体２０に装着されると、前記操作部８及び携帯電話本体２０にある無線ユニット３１，４０がどのユニットにも繋がらないように制御されて前記操作部８と携帯電話本体２０間の無線通信が無効とされる。
【００４８】
このように制御された状態で、相手側の電話番号を操作部８にある操作ボタン群９を押して電話をかけると、まず入力信号はＣＰＵ３０に送られ、ここで信号処理がなされた後、前記信号はコネクタ７，１２のラインＢから携帯電話本体２０のＣＰＵ４１に送られ、ここで相手側の電話番号等が表示ユニット４２を介して画面表示部２に表示されるとともに、送受信ユニット４４からアンテナ３６を介して外部に信号が送信される。
【００４９】
電話がかかった状態では、相手側の音声信号は、アンテナ３６でキャッチされると、携帯電話本体２０にある送受信ユニット４４から第１レシーバ１５に送られ、前記第１レシーバ１５から相手側の声が聞こえる。また操作部８にあるマイク１１を通じて話すと音声信号は音声入出力ユニット３２に送られ、さらに前記信号はコネクタ７，１２のラインＡから携帯電話本体２０の送受信ユニット４４に送られ、アンテナ３６を介して相手側に信号が送信される。
【００５０】
図４のように前記操作部８が携帯電話本体２０に装着された状態では、操作部８と携帯電話本体２０間が無線通信されず、信号は前記操作部８と携帯電話本体２０間にあるコネクタ７，１２を介してやり取りされる。
【００５１】
本発明では上記したように、操作部８が携帯電話本体２０から取り外された状態では、前記操作部８と携帯電話本体２０間が無線通信によって信号のやり取りがなされる。このため前記操作部８と携帯電話本体２０間のワイヤレス化を実現でき、利便性を向上させることができる。無線通信には、ブルートゥース（Ｂｌｕｅｔｏｏｔｈ）などの技術を用いることができる。
【００５２】
また、操作部８と携帯電話本体２０間を無線通信によって繋ぐ場合は、ＩＤにより操作部８と携帯電話本体２０間の無線通信を制御するようにすれば、例えば間違って全く別の人の携帯電話に信号が送られるなどの不具合を防止できる。
【００５３】
また図３のように操作部８が携帯電話本体２０から取り外された状態では、前記操作部８にバイブレータ等の着信確認ユニットが内臓されていることが好ましい。前記着信確認ユニットは例えばＣＰＵ３０に繋げられる。
【００５４】
なお図３及び図４に示す操作部８及び携帯電話本体２０の内臓ユニットの構成はあくまでも例示であり、これに限るものではない。
【００５５】
【発明の効果】
以上説明した本発明では、携帯電話本体から、少なくとも複数の操作ボタンが設けられた操作部が着脱可能にされ、前記操作部を前記携帯電話本体から取り外した状態で、前記操作部から電話をかけたり、あるいは携帯電話本体で電話をしながら操作部で文字や数字等を入力したりすることができ利便性に優れた携帯電話を提供することが可能である。
【図面の簡単な説明】
【図１】携帯電話本体から操作部を取り外した状態を示す本発明の携帯電話の正面図、
【図２】図１に示す操作部を前記携帯電話本体に装着した状態を示す携帯電話の正面図、
【図３】操作部を携帯電話本体から取り外した状態での、前記操作部と携帯電話本体の内臓ユニットの構成を示すブロック図、
【図４】操作部を携帯電話本体に装着した状態での、前記操作部と携帯電話本体の内臓ユニットの構成を示すブロック図、
【符号の説明】
１  携帯電話
２  画面表示部
３  第１本体
５  第２本体
７、１２  コネクタ
８  操作部
９  操作ボタン
１０  第２レシーバ
１１  マイク
１５  第１レシーバ
【図１】
2004343493.tif 000003
【図２】
2004343493.tif 000004
【図３】
2004343493.tif 000005
【図４】
2004343493.tif 000006